(57)【要約】【課題】  支柱キャップに設置した支柱正面のフックに横グリッドを受入支持し，その近傍下位でフックボルトによって横グリッドを引寄せ支持することによって生じる横グリッド間の位置ズレを解消する。【解決手段】  支柱キャップ３にその側板から垂下した連結部３１を介して，支柱２側面位置で支柱２正面より前方に持出し突出し且つ支柱２の正面側に至るように持出フック３２を配置し，該持出フック３２によってグリッドフェンス本体１上端の横グリッド１１の背面を支柱２正面に対接するように受入支持する。フックボルト４の引寄せ支持による横グリッド１１も支柱２正面に対接するから，横グリッド１１間に位置ズレがなくなり，グリッドフェンス本体１上端の外観を良好にできる。【選択図】        図４
2006207333.tif 000002
【特許請求の範囲】
【請求項１】
支柱側面位置で支柱正面より前方に持出し突出した持出フックを備えるとともに該持出フックの受入開口後端を支柱正面より前方に突出することなく配置した持出フック付きの支柱キャップを形成し，該支柱キャップを支柱上端に設置しその上記持出フックにグリッドフェンス本体上部の横グリッドを受入支持してなることを特徴とするグリッドフェンス。
【請求項２】
上記持出フックを，支柱側面位置から支柱正面側に向けて突出して支柱正面に位置するように配置してなることを特徴とする請求項１に記載のグリッドフェンス。
【請求項３】
上記持出フックを，支柱キャップの天板又は側板から下向きに突出した支柱側面に沿う連結部を介して配置するとともに該連結部の受入開口側端部を支柱側面後方に食い込み配置することによって該受入開口後端を支柱正面より前方に突出しないように配置してなることを特徴とする請求項１又は２に記載のグリッドフェンス。
【発明の詳細な説明】
【技術分野】
【０００１】
本発明は，屋外に設置して仕切として使用するグリッドフェンスに関する。
【背景技術】
【０００２】
この種グリッドフェンスは，金属製の横グリッドと縦グリッドを桝目格子状に溶着し，例えば上下に前方に湾曲突出した胴縁を備えた金属製のグリッドフェンス本体と，地表に所定間隔に起立設置した支柱とを備えたものとされ，該グリッドフェンス本体の支持は，該グリッドフェンス本体を支柱上端に配置した支柱キャップのフックに引掛状に仮支持して，支柱の上下方向複数箇所で，例えば支柱背面から貫通配置したフックボルトを用いて本止め支持するように行うようにし，このとき上記支柱キャップのフックは，その正面の天板又は正面板から下向きに突出配置した上向き開口Ｕ字状のものとし，該フックにグリッドフェンス本体上部の横グリッドを受け入れるように上記引掛状の仮支持を行うものとされ，またフックボルトによる本止め支持は該引掛状の仮支持状態で，支柱に貫通配置したフックボルトの支柱正面側突出の横向き開口の引寄せフックに横グリッドを引掛状にして支柱背面で該フックボルトの雄ネジ部にナットを螺装して該横グリッドを支柱側に引寄せてこれを行うものとされている。
【０００３】
【特許文献１】特開平２００１−２０７６９３号
【発明の開示】
【発明が解決しようとする課題】
【０００４】
しかしこの場合，支柱キャップに設置した突出フックは支柱キャップの正面に下向きに突出配置した上向き開口Ｕ字状をなすものとされるから，支柱上端に支柱キャップを設置すると突出フックの，例えば１〜２ｍｍ程度の肉厚の背面板部分が支柱正面に重合するように支柱正面に位置する結果，突出フックにグリッドフェンス本体の横グリッドを受入れると，横グリッドが支柱正面に対接することなく突出フックによってその肉厚分だけ支柱前方に押出されるようにグリッドフェンス本体が仮支持される。このとき，例えば上記フックボルトを用いて該グリッドフェンスを本止めすると，該本止め支持部分で支柱側に横グリッドが引寄せられることによって該横グリッドはそれぞれ支柱正面に対接した状態に支持されるに至る。そうするとグリッドフェンスの横グリッドは同一垂直線上に位置し，また支柱上端の仮支持と本止め支持の，特に上下方向複数の最上部とは位置的に比較的近接しているから，これら支持における横グリッドの支柱前後方向の位置ズレによってグリッドフェンス本体上部が反るように撓む現象を招いて，支柱上端近傍の外観不良を生じ易い。
【０００５】
上記特許文献の図面によれば，支柱キャップの突出フック背面板部分が支柱正面より内側に入り込んだ状態に図示されているものがあるが，仮にこのように納めるには，支柱正面に突出フック背面板部分の肉厚を逃がす深さの凹陥溝を部分的に形成する等，支柱に対する煩雑な後加工をその生産工程で施すことが必要となって生産効率の低下を招く。
【０００６】
本発明はかかる事情に鑑みてなされたもので，その解決課題とするところは，支柱に対する後加工等生産効率を低下する措置を必要とすることなく，簡易にして確実に支柱上端における横グリッドの受入支持を支柱正面に対接した状態になし得るようにしたグリッドフェンスを提供するにある。
【課題を解決するための手段】
【０００７】
上記課題に添って本発明は，支柱キャップに支柱側面位置で横グリッドを受入支持する持出フックを配置するとともに該持出フックの受入開口を支柱正面より前方に突出しないように配置することによって，支柱上端に設置した支柱キャップの持出フックに受入れた横グリッドを支柱正面に対接した状態に受入支持し得るようにしたものであって，即ち請求項１に記載の発明を，支柱側面位置で支柱正面より前方に持出し突出した持出フックを備えるとともに該持出フックの受入開口後端を支柱正面より前方に突出することなく配置した持出フック付きの支柱キャップを形成し，該支柱キャップを支柱上端に設置しその上記持出フックにグリッドフェンス本体上部の横グリッドを受入支持してなることを特徴とするグリッドフェンスとしたものである。
【０００８】
請求項２に記載の発明は，上記に加えて，側面持出しフックによる横グリッドの受入支持を支柱正面で行うことによって横グリッドを外観よく安定且つ確実に支持し得るものとするように，これを，上記持出フックを，支柱側面位置から支柱正面側に向けて突出して支柱正面に位置するように配置してなることを特徴とする請求項１に記載のグリッドフェンスとしたものである。
【０００９】
請求項３に記載の発明は，同じく上記に加えて，側面持出しキャップを有する支柱キャップを可及的単純構造に構成して支柱キャップの外観を良好なものとし得るように，これを，上記持出フックを，支柱キャップの天板又は側板から下向きに突出した支柱側面に沿う連結部を介して配置するとともに該連結部の受入開口側端部を支柱側面後方に食い込み配置することによって該受入開口後端を支柱正面より前方に突出しないように配置してなることを特徴とする請求項１又は２に記載のグリッドフェンスとしたものである。
【００１０】
本発明は，これらをそれぞれ発明の要旨として上記課題解決の手段としたものである。
【発明の効果】
【００１１】
本発明は以上のとおりに構成したから，請求項１に記載の発明は，支柱キャップに支柱側面位置で横グリッドを受入支持する持出フックを配置するとともに該持出フックの開口を支柱正面より前方に突出しないように配置することによって，支柱に対する後加工等生産効率を低下する措置を必要とすることなく，簡易にして確実に支柱上端に設置した支柱キャップの持出フックに受入れた横グリッドを支柱正面に対接した状態になし得るようにしたグリッドフェンスを提供することができる。
【００１２】
請求項２に記載の発明は，上記に加えて，側面持出しフックによる横グリッドの受入支持を支柱正面で行うことによって横グリッドを外観よく安定且つ確実に支持することができる。
【００１３】
請求項３に記載の発明は，同じく上記に加えて，側面持出しキャップを有する支柱キャップを可及的単純構造に構成して支柱キャップの外観を良好なものとすることができる。
【発明を実施するための最良の形態】
【００１４】
以下図面の例に従って本発明を更に具体的に説明すれば，Ａはグリッドフェンス，１はグリッドフェンス本体，２は支柱であり，グリッドフェンス本体１は，常法に従って表裏に横グリッド１１と縦グリッド１２を所定間隔に配置してこれら横グリッド１１と縦グリッド１２の各交差位置で相互に溶着することによって正面桝目格子状を呈するとともに上下端に正面側，即ち前方に湾曲突出した胴縁１３を形成した鋼製のものとしてあり，また支柱２は，例えば断面矩形中空のアルミ押出形材製のものとしてあり，グリッドフェンスＡは，地表に起立設置した支柱２上端及び支柱２上下方向複数箇所，例えば２箇所で同じくグリッドフェンス本体１を固定することによってこれを形成したものとしてある。
【００１５】
支柱２に対するグリッドフェンス本体１の固定は，支柱２側面位置で支柱２正面より前方に持出し突出した持出フック３２を備えるとともに該持出フック３２の受入開口後端を支柱２正面より前方に突出しないように配置した持出フック付きの支柱キャップ３を形成し，該支柱キャップ３を支柱２上端に設置しその上記持出フック３２にグリッドフェンス本体１上部，本例にあっては上胴縁１３上端の横グリッド１１を受入支持して行なったものとしてある。
【００１６】
本例にあって支柱キャップ３は，上記断面矩形中空の支柱形状に合せて，平面矩形とした天板と，該天板から垂下して支柱２上端の四周面を覆う正面板，左右の側板及び背面板を備えた，例えばアルミ等適宜な金属の鋳造品や折曲成形品による下向き開口の金属製一体のものとしてあり，支柱２上端を下向き開口に受入れるように支柱２に被嵌し，必要に応じて支柱との間に溶着，ネジ止め等の固定措置を施すことによって該支柱２に設置するものとしてある。
【００１７】
該支柱キャップ３における本例の持出フック３２は，上記持出フック３２を，支柱２側面位置から支柱２正面側に向けて突出して支柱２正面に位置するように配置したものとし，また支柱キャップ３の天板又は側板，本例にあっては側板から下向きに突出した支柱２側面に沿う連結部３１を介して配置するとともに該連結部３１の受入開口側端部を支柱２側面後方に食い込み配置することによって該受入開口後端を支柱２正面より前方に突出しないように配置したものとしてある。
【００１８】
即ち持出フック３２は，支柱キャップ３の片側の側板，例えば正面から右側の側板から幅広下向きの連結部３１を突設して該連結部３１を介して配置してあり，このとき持出フック３２は，これを該連結部３１から正面側に側面Ｌ字状をなすように配置することによって支柱２正面より前方に持出し突出したものとしてあり，また先端を支柱２正面側に屈曲して，例えば１〜２ｃｍ程度の幅広のものとすることによって支柱２正面側の端部から支柱２正面側に突出するように配置したものとしてある。
【００１９】
また上記連結部３１の支柱キャップ３側板からの下向き突出を，該側板の前後方向の前方より幾分奥まった中間位置として側板の前方部分を残すように行なうことによって該連結部３１の前端が支柱２正面から側板前後方向に入り込んだ位置とし，連結部３１の受入開口側端部を切欠き状とし，該受入開口を側面後方に食い込み状に配置してある。
【００２０】
従って本例の持出フック付きの支柱キャップ３を支柱２上端に被嵌して設置すると，その持出フック３２が支柱２側面位置で該支柱２側面に沿って正面側に持出されて支柱２正面において幅広の受入開口を形成するとともに支柱２正面には重合状に配置されるフック構成部分が存在することなく該支柱２正面が受入開口に直接露出する結果，グリッドフェンス本体１を手持ちしてその上部，即ち上記上胴縁１３上端の横グリッド１１を該受入開口に受入れるようにすれば，該横グリッド１１が支柱２正面に対して背面を対接した状態に支持されて，グリッドフェンス本体１が支柱２上端で固定される。
【００２１】
支柱上下方向２箇所としたグリッドフェンス本体１の固定は，グリッドフェンス本体１の上方，本例にあっては上胴縁１３下端と下胴縁１３上端の横グリッド１１をフックボルト４を用いて常法に従って行ってあり，即ち支柱２の上記各胴縁１３の横グリッド１１位置にフックボルト４を貫通配置し，その支柱２正面側に突出した横向き開口の引寄せフック４１に横グリッド１１をそれぞれ引掛状にして支柱２背面で該フックボルト４の雄ネジ部にナット４２を螺装して該横グリッド１１を支柱２側に引寄せて，該横グリッド１１がそれぞれ支柱２正面に対接した状態に支持されて，グリッドフェンス本体１が支柱２上下方向２箇所で固定される。
【００２２】
このときグリッドフェンス本体１の上方固定位置，即ちその上胴縁１３下端の横グリッド１１は，支柱２上端の固定位置，即ち上記支柱キャップ３に受入支持した上胴縁１３上端の横グリッド１１から該胴縁１３の高さ寸法の，例えば７，８ｃｍから１０ｃｍ程度の比較的近接した位置で固定されるところ，これら胴縁１３上下端の横グリッド１１はいずれも支柱２の正面に対接した状態で固定されることによって，これら横グリッド１１に前後方向の位置ズレはなく，従ってグリッドフェンス本体１が反るように撓む現象やこれによる支柱２上端の外観不良を生じることがない。
【００２３】
本例のグリッドフェンスＡは，所定間隔に支柱キャップ３を被嵌設置した支柱２を起立配置し，支柱キャップ３の各持出フック３２に上胴縁１３上端を引掛けるように各横グリップ１１を受入支持してグリッドフェンス本体１を仮支持し，その後にフックボルト４によって上胴縁１３下端と下胴縁１３上端の横グリップ１１を引寄せ支持するようにその設置を行えばよい。
【００２４】
図中５はグリッドフェンス本体１相互を連結する連結金具である。
【００２５】
図示した例は以上のとおりとしたが，持出フックは，例えば支柱キャップの天板の正面，側面又は背面からフラット乃至屈曲した連結バー乃至連結板の連結部を介して支柱側面位置で支柱正面より前方に持出し突出するように配置すること，支柱キャップの側板高さが比較的大きいとき，例えば側板の下端から持出フックを直接に持出し突出するように配置すること，持出フックの受入開口後端を支柱正面と同一位置としてその前方に突出することのないようにすること，持出フックを支柱側面の側方に配置すること等を含めて，本発明の実施に当って，グリッドフェンス，グリッドフェンス本体，支柱，支柱キャップ，持出フック，必要に応じて用いる連結部等の各具体的形状，構造，材質，これらの関係，これらに対する付加等は上記発明の要旨に反しない限り様々な形態のものとすることができる。
【図面の簡単な説明】
【００２６】
【図１】グリッドフェンスの正面図である。
【図２】グリッドフェンスの側面図である。
【図３】支柱とグリッドフェンス本体の支持関係を示す部分拡大正面図である。
【図４】支柱とグリッドフェンス本体の支持関係を示す部分拡大側面図である。
【図５】支柱キャップの斜視図である。
【図６】支柱キャップの側面図である。
【図７】支柱キャップの平面図である。
【符号の説明】
【００２７】
Ａ  グリッドフェンス
１  グリッドフェンス本体
１１  横グリッド
１２  縦グリッド
１３  胴縁
２  支柱
３  支柱キャップ
３１  連結部
３２  持出フック
４  フックボルト
４１  引寄せフック
４２  ナット
５  連結金具
【図１】
2006207333.tif 000003
【図２】
2006207333.tif 000004
【図３】
2006207333.tif 000005
【図４】
2006207333.tif 000006
【図５】
2006207333.tif 000007
【図６】
2006207333.tif 000008
【図７】
2006207333.tif 000009